(57)【要約】【課題】  自動車用空調装置から発生する騒音の低減を図るものである。【解決手段】  導入する空気をエバポレータ５、ヒータコア７を通して所定の温調し、所定の吹出モードに従って、ベント吹出用開口８、左右サイドベント吹出用開口９、足元吹出用開口１０、デフロスト吹出用開口１１から車室内空間１２に吹出す自動車用空調装置において、前記温調した空気を左右のサイドベント吹出に送るサイドベント吹出用通路１６ａ，１６ｂを備えている。この両通路１６ａ，１６ｂに、該通路１６ａ，１６ｂを連通させる連絡通路１７を設ける。【選択図】        図２
2006123564.tif 000002
【特許請求の範囲】
【請求項１】
導入する空気を温調して所定の吹出モードに従って所定の吹出口から車室内に吹出す自動車用空調装置において、
前記温調した空気を２つの吹出口に送る通路を備え、この両通路に、該両通路を連通させる連絡通路を設けたことを特徴とする自動車用空調装置。
【請求項２】
導入する空気を温調して所定の吹出モードに従って所定の吹出口から車室内に吹出す自動車用空調装置において、
前記温調した空気を左右のサイドベント吹出口に送る２つサイドベント通路に、該両サイドベント通路を連通する連絡通路を設けたことを特徴とする自動車用空調装置。
【請求項３】
導入する空気を温調して所定の吹出モードに従って所定の吹出口から車室内に吹出す自動車用空調装置において、
前記温調した空気を２つのセンターベント吹出口に送る２つのセンターベント通路に、該両センサーベント通路を連通する連絡通路を設けたことを特徴とする自動車用空調装置。
【発明の詳細な説明】
【技術分野】
【０００１】
この発明は、低騒音化を図った自動車用空調装置に関する。
【背景技術】
【０００２】
近年、エンジン騒音の低下等や車室内の気密化の向上から車室内の低騒音化が進んでいるので、自動車用空調装置から発せられる騒音も乗員にとっては耳ざわりとなってきている。騒音源としては、送風機の回転による加圧空気が送風機ケースとから生じる騒音、加えてエバポレータ、ヒータコア、複雑な空気流路等の通過の騒音、さらに乱流となって、振動を空調ケースに与えて発生する騒音等がある。
【０００３】
この対策として、特許文献１に示すように、ファン２より下流側部位に、このファンで発生した騒音を減衰させる吸音材Ｄが設けられ、この吸音材Ｄにより低周波数領域の振動エネルギーを減衰するようにして騒音を低減せしめていた。また、特許文献２に示すように、樹脂ダクトに共鳴室２ａを形成して騒音の低減を図っていた。
【特許文献１】特許第２５０３２１５
【特許文献２】特開平７−２５１６２８
【発明の開示】
【発明が解決しようとする課題】
【０００４】
前記特許文献１にあっては、吸音材Ｄが、空気流の高周波領域の振動エネルギーを減衰させる多孔質弾性材料からなり、前記内壁面に被着された厚板と、非多孔質弾性材料からなり、自身の表面が前記空気流に面するようにして前記厚板の表面に貼着され、前記空気流の低周波数領域の振動を受けたときに共振して前記厚板を変形させる薄板とからなり、前記厚板の変形によって前記低周波数領域の振動エネルギーを減衰させている。即ち、吸音材が新規であるが、吸音材を空調ケースに添着する技術的思想は古くからあり、低コスト化、省スペースに向いていない。また特許文献２にあっては、自動車用空調装置に用いられる具体例でなく、共鳴による消音機構が示されているにすぎない。
【０００５】
そこで、この発明は、コストアップを抑えつつ、騒音を低減させることを目的としている。
【課題を解決するための手段】
【０００６】
この発明に係る自動車用空調装置は、導入する空気を温調して所定の吹出モードに従って所定の吹出口から車室内に吹出す自動車用空調装置において、前記温調した空気を２つの吹出口に送る通路を備え、この両通路に、該両通路を連通させる連絡通路を設けたことにある（請求項１）。これにより、温調された空気が分離された２つの通路を通り２つの吹出口から車室内に吹出されるが、両通路と接続の連絡通路が共鳴室と等価作用をすることから、騒音が減衰される。また、連絡通路がデットスペースの利用であり、２つの吹出口に至る通路に風量のアンバランスがあった時には、風量の多い通路から風量の少ない通路に空気が流れ、配風バランス取りができ、２つの風量を均一化させることができる。それは、また、通気抵抗の低減にもつながっている。
【０００７】
また、この発明に係る自動車用空調装置は、導入する空気を温調して所定の吹出モードに従って所定の吹出口から車室内に吹出す自動車用空調装置において、前記温調した空気を左右のサイドベント吹出口に送る２つサイドベント通路に、該両サイドベント通路を連通する連絡通路を設けたことにある（請求項２）。即ち、連絡通路が左右のサイドベント吹出口に送る２つのサイドベント通路に、該両サイドベント通路を連通するように設けた例が示されている。この例でも前述した請求項１の発明と同様の作用効果が得られる。
【０００８】
さらに、この発明に係る自動車用空調装置は、導入する空気を温調して所定の吹出モードに従って所定の吹出口から車室内に吹出す自動車用空調装置において、前記温調した空気を２つのセンターベント吹出口に送る２つのセンターベント通路に、該両センサーベント通路を連通する連絡通路を設けたことにある（請求項３）。即ち、連絡通路が２つのセンターベント吹出口に送る２つのセンターベント通路に、該両センターベント通路を連通するように設けた例が示されている。この例でも、前述した請求項１の発明と同様の作用効果が得られる。
【発明の効果】
【０００９】
以上のように、この発明によれば、連絡通路が共鳴空間となり、２つの（左右の）吹出口に送る通路（サイドベント通路、センターベント通路）内の騒音が減衰され、吹出口より車室内に漏れる騒音が低減される。また、連絡通路は、デッドスペースの利用であるし、連絡通路の両通路との連通の効果として、両通路内の風量のアンバランスがあった時には、風量が均一化され、配風バランス取りができるし、この結果として、通風抵抗の低減効果も得ることができる。
【発明を実施するための最良の形態】
【００１０】
以下、この発明の実施例を図面にもとづいて説明する。
【実施例１】
【００１１】
図１，図２において、この発明の第１の実施例が示され、自動車用空調装置１は、空調ケース２の上流に送風機３が設けられ、この送風機３の回転により、車室内の内気を内気導入口（図示せず）と、車外の外気を外気導入口４とから選択的に導入している。この導入した空気は、エバポレータ５により冷却されて冷風となり、エアミックスドア６の開度に比して所定の比率によりヒータコア７により加熱されて温風となり、その後方で冷風と混合して所定の温度に温調されて、ベント吹出用開口８、左右サイドベント吹出用開口９、足元吹出用開口１０、デフロスト吹出用開口１１から、吹出モード別に車室内空間１２に吹出されるものである。１３，１４，１５は、吹出モードドアである。
【００１２】
前記左右ベント吹出用開口９と、前記デフロスト吹出用開口１１への温調空気の配風切換構造は、図２に示され、空調ケース２の上方に左右サイドベント吹出用通路１６ａ，１６ｂが接続され、その接続位置に前記した吹出モードドア１５ａ，１５ｂがそれぞれ配され、この吹出モードドア１５ａ，１５ｂの開閉動作で温調空気の吹出が制御されている。
【００１３】
前記両左右サイドベント吹出用通路１６ａ，１６ｂは、連絡通路１７を介して連通されている。この連絡通路１７は空調ケース２に上方位置で、デッドスペース部位である。この連絡通路１７は、所定の容積と有しており、左右サイドベント吹出用通路１６ａ，１６ｂ内の騒音の所定の周波数と共鳴して、該騒音を減衰させる効果を持ち、左右の吹出口（図示せず）から車室内に漏れる騒音を低減させることができる。
【００１４】
また、連絡通路１７は、左右サイドベント吹出用通路１６ａ，１６ｂ内の風量のアンバランスがある際は、風量の多い通路側から風量の少ない通路に空気流れ、配風バランスを均等にできるし、この結果として通気抵抗の低減にも寄与することができる。
【００１５】
デフロスト吹出用開口１１へのデフロスト吹出用通路１８は、前記左右サイドベント吹出用通路１６ａ，１６ｂの空調ケース２への接続位置に挾まれて接続され、その接続位置に吹出モードドア１５ｃが配されている。この吹出モードドア１５ｃの開閉動作で温調空気の吹出しが制御される。
【実施例２】
【００１６】
図３において、この発明の第２の実施例が示され、図１に示すベント吹出用開口８に接続して用いられる実施例で、図は横断面が表されている。この実施例は、センターベント吹出口が２つに分けられたもので、２つのセンターベント吹出口２０ａ，２０ｂに至るセンターベント吹出通路２１ａ，２１ｂが前記したベント吹出用開口８に接続されている。この例にあっても、両通路２１ａ，２１ｂが連絡通路２２にて連通されている。このために、前記実施例１と同様な効果である共鳴作用による減衰の効果が得られるし、また両通路２１ａ，２１ｂの配風のアンバランスの修正も行われるものである。２３は車両に搭載のオーディオ機器である。
【図面の簡単な説明】
【００１７】
【図１】この発明の第１の実施例を示す側面図である。
【図２】同上の一部切欠の正面図である。
【図３】この発明の第２の実施例を示す要部の横断面図である。
【符号の説明】
【００１８】
１  自動車用空調装置
２  空調ケース
３  送風機
５  エバポレータ
７  ヒータコア
８  ベント吹出用開口
９  左右サイドベント吹出用開口
１１  デフロスト吹出用開口
１６ａ，１６ｂ  左右サイドベント吹出用通路
１７  連絡通路
２０ａ，２０ｂ  センターベント吹出口
２２  連絡通路
２３  オーディオ機器
【図１】
2006123564.tif 000003
【図２】
2006123564.tif 000004
【図３】
2006123564.tif 000005